【手続補正書】
【提出日】平成20年9月26日(2008.9.26)
【手続補正１】
【補正対象書類名】明細書
【補正対象項目名】特許請求の範囲
【補正方法】変更
【補正の内容】
【特許請求の範囲】
【請求項１】  少なくとも１つのマルチメディアデバイスによる出力のためにオーディオ／ビデオオペレーティングモードを自動的に最適化するためのシステムであって、
前記少なくとも１つのマルチメディアデバイスの出力モードおよび機能セグメントを制御するためのマイクロプロセッサであって、使用可能な前記モードを判断するために前記少なくとも１つのマルチメディアデバイスにクエリを送信するマイクロプロセッサと、
前記少なくとも１つのマルチメディアデバイスからの出力のために使用可能な前記モードに関する情報を含むフィーチャレジストリと、
前記マイクロプロセッサからの命令に応答して、前記少なくとも１つのマルチメディアデバイスによる出力のために使用可能なオーディオ／ビデオモードから選択され最適化された出力モードを提供するプロセッサと
を備え、前記プロセッサは、再生されるメディアサービスの特性を使用してオーディオ／ビデオモードの所定の階層的順序に従って、前記選択され最適化された出力モードを選択し、前記マイクロプロセッサは、前記使用可能なオーディオ／ビデオモードの順列を生成することにより、前記選択され最適化された出力モードを選択することを特徴とするシステム。
【請求項２】  前記メディアサービスの前記特性は、符号化タイプ、および前記メディアサービスのビットレートの少なくとも１つであることを特徴とする、請求項１に記載のシステム。
【請求項３】  前記フィーチャレジストリは、前記マルチメディアデバイスの機能セグメントであることを特徴とする、請求項１に記載のシステム。
【請求項４】  前記プロセッサは、前記マルチメディアデバイスの機能セグメントであることを特徴とする、請求項１に記載のシステム。
【請求項５】  前記マイクロプロセッサは、前記順列を、オーディオ／ビデオモードの組合せをランク付けする所定の階層的順序と比較することを特徴とする、請求項１に記載のシステム。
【請求項６】  前記クエリは、前記システムに新しく接続されたマルチメディアデバイスの出力モードを判断するために、前記接続されたマルチメディアデバイスに送信されることを特徴とする、請求項１に記載のシステム。
【請求項７】  前記少なくとも１つのマルチメディアデバイスと通信するためのデータインターフェイスをさらに備え、前記データインターフェイス／コントローラは、前記マルチメディアデバイスの機能セグメントであることを特徴とする、請求項１に記載のシステム。
【請求項８】  前記データインターフェイスは、メタデータ、デバイスＩＤ、モードＩＤ、および、オペレーションコマンドの少なくとも１つの使用を介して、前記少なくとも１つのマルチメディアデバイスと通信することを特徴とする、請求項７に記載のシステム。
【請求項９】  前記マルチメディアデバイスは、前記使用可能なオーディオ／ビデオ出力モードを更新するために前記データインターフェイスを介して保守アップグレードを受け取り、前記アップグレードは、オーディオまたはビデオ出力モードを追加すること、および、オーディオまたはビデオ出力モードを削除することの少なくとも１つであることを特徴とする、請求項７に記載のシステム。
【請求項１０】  前記マルチメディアデバイスは、複数の接続されたマルチメディアデバイスから通信を受け取り、前記通信は、電気回路のパラメータ、および電気回路の前記パラメータの変化の少なくとも１つであることを特徴とする、請求項７に記載のシステム。
【請求項１１】  電子プログラミングガイドを介してメディアサービスを選択するためのグラフィカルユーザインターフェイスをさらに備えていることを特徴とする、請求項１に記載のシステム。
【請求項１２】  前記マルチメディアデバイスを操作するためのグラフィカルユーザインターフェイスをさらに備えていることを特徴とする、請求項１に記載のシステム。
【請求項１３】  前記マルチメディアデバイスを操作することは、オーディオボリュームを調整すること、前記マルチメディアデバイスをパワーオンまたはオフすること、お気に入りのメディアサービスのためのショートカットを確立すること、および、使用可能なオーディオまたはビデオ出力モードを強制することの少なくとも１つによることを特徴とする、請求項１２に記載のシステム。
【請求項１４】  前記マイクロプロセッサは、機能セグメントと組み合わされていることを特徴とする、請求項１に記載のシステム。
【請求項１５】  前記メディアサービスの前記特性は、前記メディアサービスの一部として送信されるメタデータであることを特徴とする、請求項１４に記載のシステム。
【請求項１６】  前記メタデータは、オンデマンドで送達される、ストリームされたメディアサービスの一部として送信されることを特徴とする、請求項１５に記載のシステム。
【請求項１７】  少なくとも１つのマルチメディアデバイスによる出力のためにオーディオ／ビデオオペレーティングモードを自動的に最適化するためのシステムであって、
前記少なくとも１つのマルチメディアデバイスの出力モードおよび機能セグメントを制御するためのマイクロプロセッサであって、使用可能な前記モードを判断するために前記少なくとも１つのマルチメディアデバイスにクエリを送信するマイクロプロセッサと、
前記少なくとも１つのマルチメディアデバイスからの出力のために使用可能な前記モードに関する情報を含むフィーチャレジストリと、
前記マイクロプロセッサからの命令に応答して、前記少なくとも１つのマルチメディアデバイスによる出力のために使用可能なオーディオ／ビデオモードから選択され最適化された出力モードを提供するプロセッサと
を備え、前記プロセッサは、再生されるメディアサービスの特性を使用してオーディオ／ビデオモードの所定の階層的順序に従って、前記選択され最適化された出力モードを選択し、前記マイクロプロセッサは、メディアサービスが最適な前記モードと互換性がない場合は最適な前記出力モードの少なくとも１つが使用可能でないために次善のモードを選択することを特徴とするシステム。
【請求項１８】  複数のマルチメディアデバイスによる出力のためにオーディオ／ビデオオペレーティングモードを自動的に最適化するための方法であって、
前記デバイスのオペレーティングモードの判断に関して、前記複数のマルチメディアデバイスにクエリを送信するステップと、
前記クエリの結果を格納するステップと、
再生されるメディアサービスの特性を判断するステップと、
メディアサービスを再生するために、判断された前記特性を使用してメディアサービスを出力するために使用可能なオーディオ／ビデオモードの所定の階層的順序に従って、格納された前記クエリの結果から最適化された出力オーディオモードおよび最適化されたビデオモードを選択するステップと、
前記最適化されたオーディオモードおよび前記最適化されたビデオモードを選択する命令を通信するステップと、
メディアサービスが最適な前記モードと互換性がない場合は前記最適化されたオーディオモードおよび前記最適化されたビデオモードの少なくとも１つが使用可能でないために、次善のオーディオモードおよび次善のビデオモードの少なくとも１つを選択するステップと
を含むことを特徴とする方法。
【請求項１９】  通信された前記命令は、前記メディアサービスが、選択された最適化されたオーディオモードおよび選択されたビデオモードの少なくとも１つを出力することができるデバイスに通信されることを特徴とする、請求項１８に記載の方法。